(57)【要約】【課題】  消費電力を抑えつつ適切に電子メール受信を行う通信端末装置を提供する。【解決手段】  ネットワーク接続機能と通常の動作状態と該通常動作状態より低電力消費である省電力状態とに状態を切替える節電機能とを備えた通信端末装置において、所定の間隔でネットワーク上のメールサーバーから電子メールを取得する電子メール受信手段５１と、省電力状態から通常動作状態に移行させる省電力状態解除手段５３と、省電力状態において、所定の省電力復帰要因が発生したとき、前記省電力解除手段を動作させて省電力状態から復帰して、該省電力復帰要因に応じた処理を行うと共に、前記電子メール受信手段を動作させて前記メールサーバーから電子メールを受信する制御手段５４とを備える。【選択図】        図１
2005234936.tif 000002
【特許請求の範囲】
【請求項１】
ネットワーク接続機能と、通常の動作状態と該通常動作状態より低電力消費である省電力状態とに状態を切替える節電機能とを備えた通信端末装置において、
所定の間隔でネットワーク上のメールサーバーから電子メールを取得する電子メール受信手段と、
省電力状態から通常動作状態に移行させる省電力状態解除手段と、
省電力状態において、所定の省電力復帰要因が発生したとき、前記省電力解除手段を動作させて省電力状態から復帰して、該省電力復帰要因に応じた処理を行うと共に、前記電子メール受信手段を動作させて前記メールサーバーから電子メールを受信する制御手段とを備えることを特徴とする通信端末装置。
【請求項２】
省電力状態で動作する経過時間を計時する計時手段と、
該計時手段に所定の時間を設定する設定手段とを備えており、
前記設定手段で設定された時間を前記計時手段で計時し終えたとき、前記省電力解除手段により省電力状態から復帰することを特徴とする請求項１記載の通信端末装置。
【請求項３】
省電力状態からの復帰要因が前記計時手段での計時終了であるとき、
前記制御手段は、電子メール受信動作の後に前記省電力解除手段に対し省電力状態へ移行する指示を行うことを特徴とする請求項２記載の通信端末装置。
【請求項４】
前記計時手段への設定値を複数保持する記憶部を備えており、
前記設定手段は、メール受信完了時に前記記憶部より現在時刻に対応した値を計時設定値として選択することを特徴とする請求項２記載の通信端末装置。
【請求項５】
前記計時手段への設定値を複数保持する記憶部を備えており、
前記設定手段は、一度の電子メールの受信において所定の件数以上の電子メールの取得が、所定の回数以上連続した場合、現在の電子メールの取得間隔よりも１段階取得間隔が短い設定値を前記記憶部より取得して前記計時手段に設定し、一度の電子メールの受信において所定の件数以下の電子メールの取得が、所定の回数以上連続した場合、現在の電子メールの取得間隔よりも１段階取得間隔が長い設定値を前記記憶部より取得して前記計時手段に設定することを特徴とする請求項２記載の通信端末装置。
【発明の詳細な説明】
【技術分野】
【０００１】
本発明は通信端末装置、特に節電機能を有する電子メールの受信装置に関するものである。
【背景技術】
【０００２】
メールクライアントやインターネットファックスと称す装置などの通信装置は、ユーザーが手動により任意のタイミングでメールサーバーにアクセスしてメール受信を行う機能や、所定の時刻に起動して電子メールを自動的に受信する機能を備えている。例えば、特許文献１には受信する電子メールのヘッダ情報に基づいて該電子メールの受信時刻を取得し、その時刻で示される時間帯における電子メールの受信件数をデータベース化し、該データベースに基づいて次の電子メールを受信する時刻を設定することを開示している。
【０００３】
これとは別に、この種の装置において、いずれのメール受信オペレーションも行なわない待機状態が所定の時間以上続いた場合に、供給電源を必要最小限の部分のみに限定し消費する電力を抑える節電機能を備えた装置が知られている。例えば特許文献２には、予め設定された省エネ移行要因が整うと、必要最小限の部位にのみ電源を供給し、所定の省エネ復帰要因が発生すると、省エネ状態から待機状態に復帰する際に、オン／オフ状態が設定されている省エネ復帰要因において、オン設定されている復帰要因にのみに基づいて省エネ状態から待機状態に復帰する機能を備えたファクシミリ装置が開示されている。
【０００４】
【特許文献１】特開２００２−３５１７９３号公報
【特許文献２】特開２００２−３５９７０５号公報
【発明の開示】
【発明が解決しようとする課題】
【０００５】
ところで、前記したメール受信機能と、節電機能とを備えた通信端末装置は、一端省電力状態に遷移すると、モデム着信、ユーザーによるオペレーション等の特定の復帰条件により通常の電力供給である待機状態に戻らない限り、メール受信が行なわれることはない。
【０００６】
すなわち、経過時間と共に状態変化する電源状態および省電力状態の関係と、手動オペレーションの発生関係と、メール自動受信のオペレーション関係とを示す図２を参照しながら説明すると、メール受信間隔を省電力移行時間よりも大きく設定した場合、図２の（ａ）に示すように、省電力状態から通常の待機状態に復帰したとしてもメール受信が行なわれることがない。
【０００７】
また、図２の（ｂ）に示すように、メール受信間隔を省電力移行時間より小さく設定した場合、省電力移行時間は比較的長くなり、消費電力を抑えるという観点からは望ましくない。
更に、図２（ｃ）に示すように、消費電力を抑え、かつ省電力状態から復帰した時にメール受信を行なわせるために、省電力移行時間を短く設定しかつメール受信間隔を更に短くすることは、メールサーバーへのアクセスが煩雑となり、ネットワークおよびサーバーに必要以上の負担がかかることとなり、好ましくない。
従って、本発明の目的は、消費電力を抑えつつ電子メール受信を行う通信端末装置を提供することにある。
【課題を解決するための手段】
【０００８】
本発明は、以上の点を解決するために、次の構成を採用する。
〈構成１〉
ネットワーク接続機能と、通常の動作状態と該通常動作状態より低電力消費である省電力状態とに状態を切替える節電機能とを備えた通信端末装置において、所定の間隔でネットワーク上のメールサーバーから電子メールを取得する電子メール受信手段と、省電力状態から通常動作状態に移行させる省電力状態解除手段と、省電力状態において、所定の省電力復帰要因が発生したとき、前記省電力解除手段を動作させて省電力状態から復帰して、該省電力復帰要因に応じた処理を行うと共に、前記電子メール受信手段を動作させて前記メールサーバーから電子メールを受信する制御手段とを備えることを特徴とする。
【０００９】
〈構成２〉
省電力状態で動作する経過時間を計時する計時手段と、該計時手段に所定の時間を設定する設定手段とを備えており、前記設定手段で設定された時間を前記計時手段で計時し終えたとき、前記省電力解除手段により省電力状態から復帰することを特徴とする。
【００１０】
〈構成３〉
省電力状態からの復帰要因が前記計時手段での計時終了であるとき、前記制御手段は、電子メール受信動作の後に前記省電力解除手段に対し省電力状態へ移行する指示を行うことを特徴とする。
【００１１】
〈構成４〉
前記計時手段への設定値を複数保持する記憶部を備えており、前記設定手段は、メール受信完了時に前記記憶部より現在時刻に対応した値を計時設定値として選択することを特徴とする。
【００１２】
〈構成５〉
前記計時手段への設定値を複数保持する記憶部を備えており、前記設定手段は、一度の電子メールの受信において所定の件数以上の電子メールの取得が、所定の回数以上連続した場合、現在の電子メールの取得間隔よりも１段階取得間隔が短い設定値を前記記憶部より取得して前記計時手段に設定し、一度の電子メールの受信において所定の件数以下の電子メールの取得が、所定の回数以上連続した場合、現在の電子メールの取得間隔よりも１段階取得間隔が長い設定値を前記記憶部より取得して前記計時手段に設定することを特徴とする。
【発明の効果】
【００１３】
本発明の通信端末装置によれば、省電力復帰要因が発生すると、省電力解除手段を動作させて省電力状態から通常状態に復帰した後、復帰要因に対応する処理を行なった後、電子メール受信手段を動作させて電子メールを受信することから、メール受信間隔が省電力移行時間、すなわち通常動作状態から省電力状態に移行するまでの時間よりも長く設定されているような場合でも、電子メールを受信することができる。
【発明を実施するための最良の形態】
【００１４】
ネットワークに接続する通信端末装置として、インターネットによる送信および受信機能を有するファクシミリ装置を例に以降の説明を行う。
【実施例１】
【００１５】
実施例１のファクシミリ装置は制御部５０を備えており、該制御部５０は、図１に示すように、電子メール受信手段５１と、通常動作状態と省電力状態とを切替える状態切替え手段５２と、制御手段５４と、計時手段５５と、設定手段５６とを備える。
電子メール受信手段５１は、制御手段５４からの指示に応じて電子メールを受信するための制御を行う。
【００１６】
状態切替え手段５２は、制御手段からの指示に応じて通常に電力を消費する動作状態と、該通常動作状態と比べて低消費電力の省電力状態とを切替える制御を行う。省電力状態は、例えば電源を必要最低限の部位に限って供給する状態であり、これにより、通信端末装置の受態時の消費電力を低減することができる。
【００１７】
状態切替え手段５２は、通常動作状態から省電力状態に移行する制御を行う図示しない省電力移行手段と、省電力状態から通常動作状態へ移行するための省電力解除手段５３とを備えている。
計時手段５５は、省電力状態における経過時間を管理し、設定手段５６は、計時手段５５で計時する経過時間のタイムアップ時間を設定する。
【００１８】
制御手段５４は、省電力復帰要因が発生すると、省電力解除手段５３を動作させる指示を該省電力解除手段５３に出力すると共に、電子メール受信手段５１を起動させる指示を該電子メール受信手段５１に出力する。また、制御手段５４は、計時手段５５で計時する経過時間を参照し、設定手段５６で設定した時間が経過すると、省電力解除手段５３を起動する指示を該省電力解除手段５３に出力する。
【００１９】
ここで、前記した各手段を有する制御部５０を備えるファクシミリ装置（通信端末装置）の説明を行う。制御部５０は、ハードウェアや、後述するＣＰＵに処理制御を行なわせるためのプログラム（ソフトウェア）としてファクシミリ装置に組込まれている。
ファクシミリ装置１００は、図３に示すように、ＣＰＵ１と、該ＣＰＵ１のためのプログラムを保持する記憶部としてのフラッシュメモリ２と、ＣＰＵ１にバス１４を介して接続されてアクセスされるＲＡＭ３、画像処理部４、ラインメモリ５、画像情報符号化・復号化部６、モデム７、インタフェース部８、時計部１５、タイマー部１６およびＬＡＮインタフェース部１７と、画像処理部４に接続するスキャナ部９およびプリンタ部１０と、インタフェース部８に接続する操作表示部１２および機構制御部１３と、モデム７に接続するＮＣＵ（Network Control Unit）１１と、時計部１５で管理する時間を、ファクシミリ装置自身の電源がＯＦＦ状態でもバックアップするバックアップ部２１と、前記した各部に電源を供給する電源部２０とを備える。
【００２０】
ＣＰＵ１は、外部との通信制御、取り込んだ画像データの処理、バス１４の制御などを行い、いわゆる装置の全体的な処理制御を行う。
フラッシュメモリ２は、プログラムの他に各種の設定値を保持している。
モデム７は、ＩＴＵ−Ｔ勧告に準拠したＶ．１７やＶ．３４等の機能を有しており、該モデム７が接続されるＮＣＵ１１は、電話回線などの公衆回線に接続し、その公衆回線を介して通信相手方を呼び出すためのダイヤル信号などの制御を行う。
【００２１】
ＮＣＵ１１は、ＲＩ（Ring Indicator）検出部１８を備えており、該ＲＩ検出部１８で電話回線のＲＩ信号が検出されると、通話モードからＦＡＸ受信モードにモードが切替わる。このとき、ＲＩ信号の検出を知らせる信号１０２がＲＩ検出部１８から操作表示部１２へ出力される。
ラインメモリ５は、スキャナ部９で読取った画像データや受信した画像データなどを保持する。このラインメモリ５で保持する画像データに基づいて、画像情報符号化・復号化部６は、送信する画像データの符号化や受信した画像データの復号化を行う。
【００２２】
画像処理部４は、接続するスキャナ部９で取り込んだ画像データを装置内で処理可能のデータ形式にデータを変換する処理を行い、また接続するプリンタ部１０で印刷処理可能のデータ形式にデータを変換する処理を行う。
機構制御部１３はＰＣ１スイッチ１９を備えており、該ＰＣ１スイッチ１９は、スキャナ部９に読取り原稿が所定の位置にセットされたか検出する。読取り原稿のセットがＰＣ１スイッチ１９で検出されると、その検出信号がスキャナ部９へ送られる。検出信号は、信号線１０１を介して操作表示部１２へ出力されると共に、インタフェース部８、バス１４および画像処理部４を経てスキャナ部９へ出力される。検出信号を受けたスキャナ部９は図示しないモーターを駆動させて原稿の読取りを開始する。
【００２３】
操作表示部１２は、画面に表示する内容に従って利用者が入力する指示をインタフェース部８を介してＣＰＵ１に伝えると共に、ＣＰＵ１から送られる装置の動作状態を画面に表示する。また、操作表示部１２は、省電力制御部を備えており、該省電力制御部からの信号１０３に基づいて電源部２０に対してメイン電源のＯＮ／ＯＦＦ制御を行う。
時計部１５は、時刻情報を管理すると共に、ＣＰＵ１からの要求に応じて時刻情報を出力する。タイマー部１６は、一定時間間隔でＣＰＵ１にタイムアップ信号を出力する。
【００２４】
ＬＡＮインタフェース部１７はネットワークと接続しており、該ネットワークを介して行なわれるＴＣＰ／ＩＰプロトコルでの通信処理を行う。電源部２０は図示しないメイン電源部と図示しないサブ電源部とを備えており、メイン電源部はファクシミリ装置全体に電源を供給し、ファクシミリ装置を通常動作状態で動作させるときにＯＮし、ファクシミリ装置を省電力状態で動作させるときにＯＦＦする。
【００２５】
一方、サブ電源部はファクシミリ装置の状態に因ることなく、すなわち通常動作状態および省電力状態のいずれの状態でも常にＯＮしている。このサブ電源部からの電源は、ファクシミリ装置の操作表示部１２、ＰＣ１スイッチ１９およびＲＩ検出部１８に供給される。
【００２６】
メイン電源部のＯＮ／ＯＦＦ制御は、操作表示部１２を介してＣＰＵ１からの指示に基づいて行なわれており、メイン電源部のＯＮ制御は次に示す第１の事象〜第３の事象の何れかの事象が生じたときに行なわれる。
第１の事象として、ＲＩ検出部１８でＲＩ信号が検出されたとき。
ＲＩ検出部１８でＲＩ信号が検出されると、信号線１０２を介して操作表示部１２の省電力制御部にＲＩ信号の検出が伝送され、該省電力制御部から信号線１０３を経て電源部２０へ、該電源部２０のメイン電源部をＯＮ制御するための信号を出力する。
【００２７】
第２の事象として、オペレータにより操作表示部１２の操作キーの押下が行なわれたとき。
操作表示部１２は操作キー押下を検出すると、該操作表示部１２の省電力制御部から信号線１０３を経て電源部２０へ、該電源部２０のメイン電源部をＯＮ制御するための信号を出力する。
【００２８】
第３の事象として、ＰＣ１スイッチ１９でスキャナ部９に読取り原稿が所定の位置にセットされたことを検出したとき。
ＰＣ１スイッチ１９で原稿セットを検出すると、読取り原稿のセット検出を示す信号が信号線１０１を介して操作表示部１２の省電力制御部に伝送され、該省電力制御部から信号線１０３を経て電源部２０へ、該電源部２０のメイン電源部をＯＮ制御するための信号を出力する。
【００２９】
ところで、前記した第３の事象において、メイン電源部がＯＮ制御されると、ＰＣ１スイッチ１９で検出した信号がスキャナ部９へ送られて、該スキャナ部９でセットされた原稿の画像データが取得され。取得した画像データは、画像処理部４を経て一旦ラインメモリ５で保持される。その後画像データは、ラインメモリ５から画像情報符号化・復号化部６へ伝送されると、該画像情報符号化・復号化部６で符号化されてバス１４を介してＲＡＭ３に蓄積される。その後ＬＡＮインタフェース部１７によりＲＡＭ３で蓄積するデータが順次読み出されてパケット化され、ネットワークを介して送り先のメールサーバーに蓄積される。
【００３０】
一方、Ｔ．３７に準拠したインターネット受信は、タイマー部１６からの起動制御を受けたＣＰＵ１がＬＡＮインタフェース部１７を制御してネットワークに接続するメールサーバーのメールボックスに対しアクセスを行なう。これにより、電子メールが送られてメールボックスに蓄積されているとき、該メールボックスに蓄積する電子メールがＬＡＮインタフェース部１７で取得される。受信した電子メールはバス１４を介してＲＡＭ３に受信データとして蓄積される。
【００３１】
ＲＡＭ３で蓄積する受信データは画像情報符号化・復号化部６に送られると、該画像情報符号化・復号化部６により復号化され、復号化されたデータがラインメモリ５を介してプリンタ部１０へ送られ、該プリンタ部１０により印刷が行なわれる。その後、前記した事象が生じることなく所定時間を経過すると、省電力状態に移行する。所定時間は、タイマー部１６によりカウントされ、該タイマー部１６で所定時間のカウントアップを示す制御信号がＣＰＵ１へ出力されると、該ＣＰＵ１は通常動作状態から省電力状態に切替えるべく、バス１４およびインタフェース部８を介して操作表示部１２の省電力制御部に切替え指示を出力する。このようにして省電力状態に切替えることにより、待機時のファクシミリ装置の消費電力を低減することができる。
【００３２】
また、ファクシミリ装置が省電力状態にあるときにも、前記した事象の何れか、すなわちオペレータによる操作ボタンの押下、オペレータによる原稿のセットおよび受信動作に伴うＲＩ信号を検出すると、通常状態に復帰すべく省電力状態の解除が行なわれる。
【００３３】
次に、省電力状態および通常動作状態の切替え動作をフローチャートを用いて詳細に説明する。
省電力状態から通常動作状態への制御フローが図４に示されている。該フローチャートにおいて、ＰＣ１、ＲＩ信号又は操作キーの押下の検出判定を操作表示部１２の省電力制御部で行う（ステップＳ１１０）。この判定で通常状態に復帰するための事象が検出されないとき、省電力状態を継続する（ステップＳ１２０）。
【００３４】
一方、前記各事象のうち少なくとも一つの事象を検出すると、通常動作状態に移行（復帰）するための処理を行うべく、操作表示部１２の省電力制御部は、電源部２０のメイン電源部をＯＮ制御する指示を出力する。そして、ＣＰＵ１の初期化処理として、省電力状態へ移行するまでの時間を示すカウンタｔ１と、インターネット受信を行うための時間間隔を管理するためのカウンタｔ２と、省電力状態からの復帰が直後であることを示すフラグｉｆとを、それぞれｔ１＝０、ｔ２＝０、ｉｆ＝１に初期化する（ステップＳ１３０）。この初期化処理は、ファクシミリ装置１００の電源が投入されたときにも行なわれ、すなわち電源が投入されるとステップＳ１３０からの処理が行なわれる。
【００３５】
その後、ＣＰＵ１は、ＲＩ検出部１８でＲＩ信号を受信したか否かを判定する（ステップＳ１４０）。ＲＩ信号受信と判定すると、ファクシミリの受信処理を行う（ステップＳ１５０）。
ステップＳ１４０において、ＲＩ信号の受信を検出できなかったとき、ＣＰＵ１は、ＰＣ１スイッチ１９で読取り原稿のセット検出が行われたか否かを判定する（ステップＳ１６０）。読取り原稿がセットされたと判定すると、該原稿の読取り処理を行う（ステップＳ１７０）。
【００３６】
また、ステップＳ１６０において、読取り原稿のセット検出ができなかったとき、ＣＰＵ１は、操作表示部１２で操作ボタンが押下されたか否かを判定する（ステップＳ１８０）。操作ボタンの押下が行なわれたと判定すると、ＣＰＵ１は、押下されたボタンに関連付けられている処理の実行指示を行う（ステップＳ１９０）。
【００３７】
その後、ステップＳ１５０、ステップＳ１７０及びステップＳ１９０における処理を終えた後、省電力状態へ移行するためのカウンタｔ１を初期化する（ステップＳ２００）。すなわち、このカウンタｔ１の値は、何らかの処理が終わり、その後通常動作状態から省電力状態へ以降するための経過時間をカウントするためのカウンタである。
【００３８】
その後、ＣＰＵ１は、省電力状態からの復帰が直後であることを示すフラグｉｆに基づいて、省電力状態から通常動作状態に復帰した直後か否かを判定する（ステップＳ２１０）。ＣＰＵ１が省電力状態から通常動作状態へ復帰直後であると判定したとき、インターネットファクシミリの受信処理を行うべく、ＬＡＮインタフェース部１７に対し、ネットワークに接続するメールサーバーからインターネットファックスのための電子メールを受信するための制御を指示する（ステップＳ２２０）。その後、ＣＰＵ１は、フラグｉｆをリセットする制御を行う（ステップＳ２３０）。
【００３９】
ステップ２３０における処理を終えた後、またはステップ１８０において操作ボタンが押下されていないと判定された後、またはステップＳ２１０において省電力状態からの復帰直後ではないと判定された後、省電力状態へ移行するまでの時間を示すカウンタｔ１と、インターネット受信を行うための時間間隔を管理するためのカウンタｔ２とをそれぞれカウントアップする（ステップＳ２４０）。
【００４０】
その後、ＣＰＵ１は通常動作状態から省電力状態へ移行するまでの時間ｔ１が所定の設定値ｓｔ１で示される時間を経過したか否かを判定する（ステップＳ２５０）。通常動作状態から省電力状態へ移行するまでの時間が設定値ｓｔ１を超えたとき、ＣＰＵ１は操作表示部１２の省電力制御部に電源部２０のメイン電源部をＯＦＦ制御する指示を出力する（ステップＳ２６０）。これにより、事象に応じた処理を行った後、所定の設定時間（ｓｔ１）経過すると、省電力状態に移行することから、待機時の消費電力を低減することができる。
【００４１】
ステップＳ２５０において、設定値ｓｔ１に示される時間に、通常動作状態から省電力状態へ移行するまでの時間ｔ１が達していないと判断すると、インターネットファックス受信を行うための時間間隔を管理するカウンタｔ２が所定の設定値ｓｔ２で示される時間を経過したか否かを判定する（ステップＳ２７０）。インターネットで電子メールを受信する時間間隔が設定値ｓｔ２を超えたとき、ＣＰＵ１はインターネットファクシミリのための電子メールの受信処理を行うべく、ＬＡＮインタフェース部１７に対し、ネットワークに接続するメールサーバーから電子メールを受信するための制御を指示する（ステップＳ２８０）。これにより、設定値ｓｔ２で示される所定の時間間隔毎にインターネットファックス受信を行うことができる。
【００４２】
ステップＳ２８０において、インターネットファックス受信を終えると、インターネットファックス受信を行うための時間間隔を管理するカウンタｔ２を初期化する（ステップＳ２９０）。その後、ステップＳ１４０からの処理を継続して行う。
【００４３】
前記したように、事象に応じた処理を行った後、インターネットファックス受信を行うことにより、ファクシミリ装置が省電力状態に移行する前にインターネットファックス受信が行なわれることから、通常動作状態から省電力状態へ移行するまでの時間よりインターネットファックス受信を行うまでの時間間隔が長い場合でも、インターネットファクシミリのための電子メールを受信することができる。
【実施例２】
【００４４】
次に、前記した実施例１の構成に省電力状態におけるカウンタを備えたファクシミリ装置２００を説明する。
実施例２のファクシミリ装置２００は、図５に示すように、実施例１と同様にＣＰＵ１、フラッシュメモリ２、ＲＡＭ３、画像処理部４、ラインメモリ５、画像情報符号化・復号化部６、モデム７、インタフェース部８、スキャナ部９、プリンタ部１０、ＮＣＵ１１、操作表示部１２、機構制御部１３、バス１４、時計部１５、タイマー部１６、ＬＡＮインタフェース部１７、電源部２０およびバックアップ部２１を備え、更に省電力状態での経過時間をカウントするカウンタ・コンパレータ２２を備える。
【００４５】
実施例１と同様である各部の説明は割愛し、新たなカウンタ・コンパレータ２２を説明する。
カウンタ・コンパレータ２２は、時計部１５から出力される信号に基づいてカウントを行い、該カウント値と所定の設定値３との比較を行って、カウンタ値と設定値３とが等しい、いわゆるタイムアップしたとき、カウントを停止すると共に、操作表示部１２の省電力制御部へ信号１０４を出力する。信号１０４を受けた操作表示部１２の省電力制御部は、該省電力制御部から信号線１０３を経て電源部２０へ、該電源部２０のメイン電源部をＯＮ制御するための信号を出力する。ところで時計部１５から出力される信号は周期１秒のパルス信号であり、このパルスをカウンタ・コンパレータ２２でカウントすることにより経過時間のカウントが行なわれる。カウンタ・コンパレータ２２及び時計部１５は、操作表示部１２、ＰＣ１スイッチ１９およびＲＩ検出部１８と同様に省電力状態においても、サブ電源部の電源により機能している。
【００４６】
次に、実施例２のファクシミリ装置２００の動作を、図６のフローチャートに沿って説明する。該フローチャートにおいて、実施例１と同様な内容の説明は割愛し、カウンタ・コンパレータ２２の動作を中心に説明する。
ＰＣ１、ＲＩ信号、操作キーの押下またはカウンタ・コンパレータ２２のタイムアップの検出判定を操作表示部１２の省電力制御部１２で行う（ステップＳ１１１）。この判定で通常状態に復帰するための事象が検出されると、操作表示部１２の省電力制御部は電源部２０にメイン電源のＯＮを指示する。メイン電源がＯＮになると、ＣＰＵ１はカウンタ・コンパレータ２２のカウンタの停止を指示し、通常動作状態に切替えて初期化処理を行う（ステップＳ１３１）。
【００４７】
その後、前記した実施例１と同様のステップＳ１４０〜ステップＳ２４０までの処理を行う。すなわちＲＩ信号、ＰＣ１信号または操作ボタンの押下を検出すると、検出に応じた処理を行う。該各処理が終了すると、省電力状態からの復帰が直後であるとき、インターネットファクシミリのための電子メールを受信する。これにより、前記した実施例１と同様に、ファクシミリ装置が省電力状態に移行する前にインターネットファックス受信が行なわれることから、通常動作状態から省電力状態へ移行するまでの時間よりもインターネットファックス受信を行うまでの間隔が長い場合でも、インターネットファクシミリのための電子メールを受信することができる。
【００４８】
その後、省電力状態へ移行するまでの時間を示すカウンタｔ１と、インターネット受信を行うための時間間隔を管理するためのカウンタｔ２とをそれぞれカウントアップした後、ＣＰＵ１は通常動作状態から省電力状態へ移行するまでの時間ｔ１が所定の設定値ｓｔ１で示される時間を経過したか否かを判定する（ステップＳ２５０）。
通常動作状態から省電力状態へ移行するまでの時間が設定値ｓｔ１を超えたとき、ＣＰＵ１は、カウンタ・コンパレータ２２でカウントするためのカウンタを初期化した後、該カウントを開始すべくカウンタ・コンパレータ２２に制御する指示を出力すると共に、操作表示部１２の省電力制御部に電源部２０のメイン電源部をＯＦＦ制御する指示を出力する（ステップＳ２６１）。
【００４９】
前記したように、カウンタ・コンパレータ２２で省電力状態に移行している経過時間をカウントすることにより、省電力状態で所定の時間が経過すると、省電力状態から通常動作状態に動作状態を切替えて、インターネットファックスのための電子メールを定期的に受信することができる。
【００５０】
また、ステップＳ２５０において、設定値ｓｔ１に示される時間に、通常動作状態から省電力状態へ移行するまでの時間ｔ１が達していないと判断すると、実施例１と同様に、インターネットファックス受信を行うための時間間隔を管理するカウンタｔ２が所定の設定値ｓｔ２で示される時間を経過したか否かを判定し（ステップＳ２７０）、該判定において、インターネットで電子メールを受信する時間間隔が設定値ｓｔ２を超えたとき、ＣＰＵ１はインターネットファクシミリのための電子メールの受信処理を行うべく、ＬＡＮインタフェース部１７に対しネットワークに接続するメールサーバーから電子メールを受信するための制御を指示する（ステップＳ２８０）。
【００５１】
ステップＳ２８０において、インターネットファックス受信を終えると、インターネットファックス受信を行うための時間間隔を管理するカウンタｔ２を初期化する（ステップＳ２９０）。その後、前記した実施例１と同様にステップＳ１４０からの処理を継続して行う。
【００５２】
前記したように、実施例２のファクシミリ装置によれば、カウンタ・コンパレータ２２で省電力状態での経過時間をカウントすることにより、該カウンタにおけるタイムアップに基づいて省電力状態から通常動作状態に動作状態を切替えられることから、省電力状態から通常動作状態に復帰した直後、すなわちファクシミリ装置が省電力状態において所望の設定時間が経過するとインターネットファックスのための電子メールを受信することができる。
【実施例３】
【００５３】
次に、前記したカウンタ・コンパレータ２２の出力する信号を操作表示部１２の省電力制御部以外に、ＣＰＵ１にも出力するファクシミリ装置を説明する。
実施例３のファクシミリ装置３００は、図７に示すように、実施例１と同様にＣＰＵ１、フラッシュメモリ２、ＲＡＭ３、画像処理部４、ラインメモリ５、画像情報符号化・復号化部６、モデム７、インタフェース部８、スキャナ部９、プリンタ部１０、ＮＣＵ１１、操作表示部１２、機構制御部１３、バス１４、時計部１５、タイマー部１６、ＬＡＮインタフェース部１７、電源部２０、バックアップ部２１およびカウンタ・コンパレータ２２を備えている。
【００５４】
前記した実施例２のカウンタ・コンパレータ２２では該カウンタ・コンパレータ２２から操作表示部１２のみに信号を出力したが、具体例３のカウンタ・コンパレータ２２は、操作表示部１２へ供給する信号１０４と、ＣＰＵ１へ供給する信号１０５とを出力する。
ＣＰＵ１は、カウンタ・コンパレータ２２から供給される信号１０５に基づいて、インターネットファックス受信のための処理を行うことができる。
【００５５】
次に、ファクシミリ装置３００の動作を図８のフローチャートに沿って説明する。
操作表示部１２の省電力制御部は、ＰＣ１、ＲＩ信号又は操作キーの押下の検出判定を行う（ステップＳ１１０）。この判定で前記した事象が検出されないとき、省電力状態が継続される（ステップＳ１２１）。
【００５６】
省電力が継続される状態において、カウンタ・コンパレータ２２は、該カウンタ・コンパレータ２２のカウンタの値が所定の設定値３に達したか否か、すなわち省電力状態において所定の時間が経過したか否かを判定する（ステップＳ１２２）。
省電力状態で所定の時間が経過していないとき、前記したステップＳ１１０からの処理を継続する。
【００５７】
一方、省電力状態で所定の時間が経過したとき、カウンタ・コンパレータ２２は、信号１０４を操作表示部１２の省電力制御部に出力し、該省電力制御部から電源部２０へメイン電源部をＯＮするための制御信号が出力される。更にカウンタ・コンパレータ２２は、信号１０５をＣＰＵ１に出力し、信号１０４で通常動作状態に復帰したＣＰＵ１は、インターネットファックスのための電子メールを受信すべく、ＬＡＮインタフェース部１７へ制御指示を出力する（ステップＳ１２３）。
前記したように、カウンタ・コンパレータ２２で省電力状態に移行している経過時間をカウントすることにより、省電力状態で所定の時間が経過すると、省電力状態から通常動作状態に動作状態を切替えて、インターネットファックスのための電子メールを定期的に受信することができる。
【００５８】
その後、カウンタ・コンパレータ２２でカウントするためのカウンタが初期化される（ステップＳ１２４）。
カウンタの初期化を終えた後、ＣＰＵ１は通常動作状態から省電力動作状態へ切替えるための制御指示をバス１４を介して操作表示部１２の省電力制御部へ出力する（ステップＳ１２５）。
【００５９】
またステップ１１０の処理において、前記各事象のうち少なくとも一つの事象を検出すると、操作表示部１２の省電力制御部は電源ＯＮ制御を行ない、電源ＯＮ後にＣＰＵ１は、通常動作状態に移行するための制御を行ない、初期化処理として、省電力状態へ移行するまでの時間を示すカウンタｔ１（以降、単にカウンタｔ１と称す）と、インターネット受信を行うための時間間隔を管理するためのカウンタｔ２（以降、単にカウンタｔ２と称す）とを、それぞれｔ１＝０、ｔ２＝０に初期化する（ステップＳ１３０）。この初期化処理は、ファクシミリ装置１００の電源が投入されたときにも行なわれ、すなわち電源が投入されるとステップＳ１３２からの処理が行なわれる。
【００６０】
その後、前記した実施例と同様にステップＳ１４０〜ステップＳ２００までの処理を行う。すなわちＲＩ信号、ＰＣ１信号または操作ボタンの押下を検出すると、検出に応じた処理を行なう。実施例３では、省電力状態において、インターネットファックのための電子メールの受信処理を逐次行なうことから、事象が生じた後にインターネットファックスのための電子メールの受信処理を省くことができる。
【００６１】
その後、省電力状態へ移行するまでの時間を示すカウンタｔ１と、インターネット受信を行うための時間間隔を管理するためのカウンタｔ２とをそれぞれカウントアップした後、ＣＰＵ１は通常動作状態から省電力状態へ移行するまでの時間ｔ１が所定の設定値ｓｔ１で示される時間を経過したか否かを判定する（ステップＳ２５０）。
通常動作状態から省電力状態へ移行するまでの時間が設定値ｓｔ１を超えたとき、ＣＰＵ１は、操作表示部１２の省電力制御部に電源部２０のメイン電源部をＯＦＦ制御する指示を出力する（ステップＳ２６０）。その後、ステップＳ１１０からの処理を行う。
【００６２】
また、ステップＳ２５０において、設定値ｓｔ１に示される時間に、通常動作状態から省電力状態へ移行するまでの時間ｔ１が達していないと判断すると、インターネットファックス受信を行うための時間間隔を管理するカウンタｔ２が所定の設定値ｓｔ２で示される時間を経過したか否かを判定し（ステップＳ２７０）し、該判定において、インターネットで電子メールを受信する時間間隔が設定値ｓｔ２を超えたとき、ＣＰＵ１はインターネットファクシミリのための電子メールの受信処理を行うための制御を指示する（ステップＳ２８０）。
【００６３】
インターネットファックスのための電子メールの受信処理を終えると、インターネットファックス受信を行うための時間間隔を管理するカウンタｔ２を初期化する（ステップＳ２９０）。その後、前記した実施例１と同様にステップＳ１４０からの処理を継続して行う。
【００６４】
前記したように、実施例３のファクシミリ装置３００によれば、前記した実施例と同様に通常動作状態から省電力状態へ移行するまでの時間よりインターネットファックス受信を行うまでの時間間隔が長い場合でも、インターネットファクシミリのための電子メールを受信することができると共に、ファクシミリ装置３００が省電力状態のときにも動作するカウンタ・コンパレータ２２から経過時間のタイムアップで出力される信号に基づいて、インターネットファックのための電子メールの受信処理を行った後、直ちに省電力状態に移行することから、電力消費を低減することもできる。
【実施例４】
【００６５】
次に、省電力状態におけるインターネットファックスのための電子メール受信時間間隔の設定値３を複数保持するフラッシュメモリ２を備えたファクシミリ装置４００を説明する。
実施例４のファクシミリ装置４００は、図５に示す実施例２のファクシミリ装置と同じ構成概念であることから、その説明を割愛し、本実施例の特徴であるフラッシュメモリ２の説明を行う。
フラッシュメモリ２は、電子メール受信時間間隔の設定値３として第１の設定値ｓｔ３−１と第２の設定値ｓｔ３−２とを保持する。ＣＰＵ１は、フラッシュメモリ２で保持する各設定値ｓｔ３−１、ｓｔ３−２を読み出して、バス１４を介してカウンタ・コンパレータ２２のカウンタと比較するための設定値３として、該カウンタ・コンパレータ２２に保持させる制御指示を行う。
【００６６】
前記した設定値ｓｔ３−１および設定値ｓｔ３−２は、ファクシミリ装置の可動時間帯に応じて適宜選定され、例えば午前８時から午後６時までの時間帯は、電子メール受信間隔が１０分の設定値ｓｔ３−１が選定されてカウンタ・コンパレータ２２で保持される。一方、それ以外の時間帯は電子メール受信間隔が１時間の設定値ｓｔ３−２が選定されてカウンタ・コンパレータ２２に保持される。電子メール受信間隔を時間帯に応じて使い分けることにより、夜間などに頻繁な受信動作を防ぐことができる。
【００６７】
次に、実施例４のファクシミリ装置４００の動作を図９のフローチャートに沿って説明する。該フローチャートにおいて実施例２と同様な内容の説明は割愛し、該フローチャートにおけるインターネットファックスのための電子メール受信処理と、カウンタ・コンパレータ２２の設定値のセット処理のためのサブルーチン処理（ＳＵＢ）を中心に説明する。
【００６８】
ＰＣ１、ＲＩ信号、操作キーの押下またはタイムアップの検出判定を操作表示部１２の省電力制御部で行う（ステップＳ１１１）。この判定で事象が検出されると、操作表示部１２の省電力制御部は電源ＯＮ制御を行い、電源ＯＮ後にＣＰＵ１はカウンタ・コンパレータ２２のカウンタの停止を指示し、通常動作状態に切替えて初期化処理を行う（ステップＳ１３１）。
【００６９】
その後、前記した実施例１と同様のステップＳ１４０〜ステップＳ２１０までの処理を行う。すなわちＲＩ信号、ＰＣ１信号または操作ボタンの押下を検出すると、検出に応じた処理を行う。該各処理が終了すると、省電力状態からの復帰が直後であるとき、インターネットファクシミリのための電子メールを受信し、カウンタ・コンパレータ２２に設定値をセットするサブルーチン処理を行う（ステップＳ２２１）。
【００７０】
このサブルーチン処理は、後述するステップＳ２８１におけるサブルーチン処理と同じであり、その内容が図１０のフローチャートに示されている。
先ず、ＣＰＵ１はインターネットファクシミリのための電子メールの受信処理を行うべく、ＬＡＮインタフェース部１７に対し、ネットワークに接続するメールサーバーから電子メールを受信するための制御を指示する（ステップＳ３１０）。
次に、ＣＰＵ１は時計部１５で管理する時刻をバス１４を介して読み出し（ステップＳ３２０）、読み出した時刻が所定の時刻、例えば午前８時から午後６時の時間帯であるか否かを判定する（ステップＳ３３０）。前記所定の時刻は任意に設定可能であり、ファクシミリ装置４００の利用者により設定される。
【００７１】
時計部１５から読み出した現在の時刻が前記した午前８時から午後６時の時間帯内であるとき、ＣＰＵ１はフラッシュメモリ２に保持する設定値ｓｔ３−１をカウンタ・コンパレータ２２にセットする（ステップＳ３４０）。
一方、ステップＳ３３０において、時計部１５から読み出した現在の時刻が前記した午前８時から午後６時の時間帯以外であるとき、ＣＰＵ１はフラッシュメモリ２に保持する設定値ｓｔ３−２をカウンタ・コンパレータ２２にセットする（ステップＳ３５０）。
【００７２】
このセットされた値は、カウンタ・コンパレータ２２でカウントするカウンタの値と比較され、カウンタ値がセットした設定値と同じ値になる、すなわち省電力状態において設定値で示される時間が経過すると、タイムアップとして検出される。
【００７３】
これにより、前記した実施例と同様に、ファクシミリ装置が省電力状態に移行する前にインターネットファックス受信が行なわれることから、通常動作状態から省電力状態へ移行するまでの時間よりもインターネットファックス受信を行うまでの間隔が長い場合でも、インターネットファクシミリのための電子メールを受信することができる。更に、時間帯に応じて省電力状態でのインターネットファックスのための電子メールの受信間隔を設定することにより、閑散的な時間帯での電子メールの受信処理の頻度を低減できることから、ファクシミリ装置が消費する電力を低減することができる。
【００７４】
図９のフローチャートに戻って、ステップＳ２２１でのサブルーチン処理の後、前記した実施例１と同様のステップＳ２３０〜ステップＳ２７０までの処理を行う。すなわち省電力状態からの復帰が直後であることを示すフラグｉｆをリセットし、省電力状態へ移行するまでの時間を示すカウンタｔ１と、インターネット受信を行うための時間間隔を管理するためのカウンタｔ２とをそれぞれカウントアップした後、ＣＰＵ１は通常動作状態から省電力状態へ移行するまでの時間ｔ１が所定の設定値ｓｔ１で示される時間を経過したか否かを判定する。この判定で通常動作状態から省電力状態へ移行するまでの時間が設定値ｓｔ１を超えたとき、ＣＰＵ１は、カウンタ・コンパレータ２２でカウントするためのカウンタを初期化した後、該カウントを開始すべくカウンタ・コンパレータ２２に制御する指示を出力すると共に、操作表示部１２の省電力制御部に電源部２０のメイン電源部をＯＦＦ制御する指示を出力する。
【００７５】
また、ステップＳ２５０において、設定値ｓｔ１に示される時間に、通常動作状態から省電力状態へ移行するまでの時間ｔ１が達していないと判断し、ステップＳ２７０において、インターネットファックス受信を行うための時間間隔を管理するカウンタｔ２が所定の設定値ｓｔ２で示される時間を経過すると、前記したサブルーチン処理を行い（ステップＳ２８１）、インターネット受信を行うための時間間隔を管理するためのカウンタｔ２を初期化する（ステップＳ２９０）。その後、前記した実施例１と同様にステップＳ１４０からの処理を継続して行う。
【００７６】
前記したように、実施例４のファクシミリ装置４００によれば、前記した実施例と同様にカウンタ・コンパレータ２２で省電力状態での経過時間をカウントすることにより、該カウンタにおけるタイムアップに基づいてファクシミリ装置が省電力状態において所望の設定時間が経過するとインターネットファックスのための電子メールを受信することができる。更に、実施例４のファクシミリ装置４００によれば、時間帯に応じて省電力状態でのタイムアップ値を設定することにより、閑散的な時間帯でのインターネットファックスのための電子メールの受信頻度を低減することができることから、消費電力を低減することができる。
【実施例５】
【００７７】
前記した実施例４のファクシミリ装置４００のサブルーチン処理において、電子メールの受信件数に応じて設定値の変更を行うファクシミリ装置５００を説明する。
実施例５のファクシミリ装置５００は、図５に示す実施例２のファクシミリ装置と同じ構成概念であることから、その説明を割愛する。
【００７８】
次に、ファクシミリ装置５００の動作をフローチャートに沿って説明する。該ファクシミリ装置５００のメインルーチン処理は、図９のフローチャートに示す実施例４のファクシミリ装置４００と同じである。即ちＰＣ１、ＲＩ信号、操作キーの押下またはタイムアップの検出判定を操作表示部１２の省電力制御部で行う（ステップＳ１１１）。この判定で事象が検出されると、操作表示部１２の省電力制御部は電源ＯＮ制御を行い、電源ＯＮ後にＣＰＵ１はカウンタ・コンパレータ２２のカウンタの停止を指示し、通常動作状態に切替えて初期化処理を行う（ステップＳ１３３）。
【００７９】
この初期化処理は、前記した省電力状態へ移行するまでの時間を示すカウンタｔ１と、インターネット受信を行うための時間間隔を管理するためのカウンタｔ２と、省電力状態からの復帰が直後であることを示すフラグｉｆとをそれぞれ初期化することに加えて、受信件数低カウンタＣ１および受信件数高カウンタＣ２をそれぞれ０に初期化する。受信件数低カウンタＣ１は、電子メールの受信制御を行ったにも係らず、電子メールの受信件数が０であるとき、その連続回数をカウントするためのカウンタであり、受信件数高カウンタＣ２は、電子メールの受信制御を行って電子メールの受信が１０件以上あるとき、その連続回数をカウントするためのカウンタである。これらの受信件数低カウンタＣ１および受信件数高カウンタＣ２は、後述するサブルーチン処理のためのカウンタである。
【００８０】
ＣＰＵ１は、ＲＩ信号、ＰＣ１信号または操作ボタンの押下を検出すると、その検出に応じた処理を行い（ステップＳ１４０〜ステップＳ１９０）。該各処理が終了すると、省電力状態へ移行するまでの時間を示すカウンタｔ１を初期化し（ステップＳＳ２００）、省電力状態からの復帰が直後であるとき（ステップＳ２１０）、インターネットファクシミリのための電子メールを受信し、受信件数に応じてカウンタ・コンパレータ２２に設定値をセットするサブルーチン処理を行う（ステップＳ２２２）。
【００８１】
サブルーチン処理を終えると、省電力状態からの復帰が直後であることを示すフラグｉｆをリセットし（ステップＳ２３０）、省電力状態へ移行するまでの時間を示すカウンタｔ１と、インターネット受信を行うための時間間隔を管理するためのカウンタｔ２とをそれぞれカウントアップし（ステップＳ２４０）、その後ＣＰＵ１は通常動作状態から省電力状態へ移行するまでの時間ｔ１が所定の設定値ｓｔ１で示される時間を経過したか否かを判定する（ステップＳ２５０）。この判定で通常動作状態から省電力状態へ移行するまでの時間が設定値ｓｔ１を超えたとき、ＣＰＵ１は、カウンタ・コンパレータ２２でカウントするためのカウンタを初期化した後、該カウントを開始すべくカウンタ・コンパレータ２２に制御する指示を出力すると共に、操作表示部１２の省電力制御部に電源部２０のメイン電源部をＯＦＦ制御する指示を出力する（ステップＳ２６１）。
【００８２】
一方、設定値ｓｔ１に示される時間に、通常動作状態から省電力状態へ移行するまでの時間ｔ１が達していないと判断すると、インターネットファックス受信を行うための時間間隔を管理するカウンタｔ２が所定の設定値ｓｔ２で示される時間を経過したか否かを判定する（ステップＳ２７０）。この判定でカウンタｔ２が設定値ｓｔ２で示される時間を経過したと判断すると、前記したサブルーチン処理を行い（ステップＳ２８２）、インターネット受信を行うための時間間隔を管理するためのカウンタｔ２を初期化する（ステップＳ２９０）。その後、前記した実施例１と同様にステップＳ１４０からの処理を継続して行う。
【００８３】
ここで、実施例５のファクシミリ装置５００におけるサブルーチン処理を図１１のフローチャートに沿って詳細に説明する。
先ず、ＣＰＵ１はインターネットファクシミリのための電子メールの受信処理を行うべく、ＬＡＮインタフェース部１７に対し、ネットワークに接続するメールサーバーから電子メールを受信するための制御を指示する（ステップＳ４１０）。
次に、ＣＰＵ１は電子メールの受信件数（Ｘ）に応じた処理を行うべく、受信件数の判定を行う（ステップＳ４２０）。
【００８４】
ステップＳ４２０において電子メールの受信件数が０件であるとき、ＣＰＵ１は受信件数低カウンタＣ１と所定の値（５）と比較判定を行う（ステップＳ４３０）。つまり、ＣＰＵ１は電子メールの受信制御を行って、この制御で電子メールの無受信が連続して５回以上であるか否かを判定する。連続５回以上であるとき、インターネット受信を行うための時間間隔が所定の時間長くなるように、設定値３の値を変更し（ステップＳ４４０）する。これにより、定期的に起動して電子メールの受信制御を行ったにも関らず、電子メールの受信が無い場合が続くと、電子メールを受信するための省電力状態からの復帰間隔を長く設定することにより、例えばメールサーバーに電子メールが蓄積されないような深夜などに、電子メールの受信制御を行う頻度が低減されることから、ファクシミリ装置５００が消費する電力を低減することができる。
【００８５】
その後、ＣＰＵ１は受信件数低カウンタＣ１の値の初期化を行い（ステップＳ４５０）、サブルーチン処理を終了する。
一方、ステップＳ４３０において、連続５回未満であると判定されたとき、ＣＰＵ１は受信件数低カウンタＣ１の値のインクリメントを行い（ステップＳ４６０）、サブルーチン処理を終了する。
【００８６】
前記したステップＳ４２０において、受信件数が少なくとも１件以上あり、１０件未満であると判定したとき、受信件数低カウンタＣ１および受信件数高カウンタＣ２を初期化し（ステップＳ４７０）、サブルーチン処理を終了する。
【００８７】
また、前記したステップＳ４２０において、受信件数が１０件以上あるとき、ＣＰＵ１は受信高カウンタＣ２と所定の値（５）との比較判定を行う（ステップＳ４８０）。つまりＣＰＵ１は、電子メールの受信制御を行って、この制御で１０件以上の電子メール受信が連続して５回以上であるか否かを判定する。連続して５回以上であるとき、インターネット受信を行うための時間間隔が短くなるように、設定値３の値を変更する（ステップＳ４９０）。これにより、所定の件数以上の電子メールの受信が所定の回数続くと、電子メールを受信するための省電力状態からの復帰間隔を短く設定することから、ＣＰＵ１はメールサーバーに大量の電子メールが蓄積されることのないように、頻繁に電子メールの取得制御を行うことができる。
【００８８】
その後、ＣＰＵ１は受信件数低カウンタＣ１の値の初期化を行い（ステップＳ５００）、サブルーチン処理を終了する。
一方、ステップＳ４８０において、ＣＰＵ１は連続５回未満であると判定したとき、受信件数高カウンタＣ２の値のインクリメントを行い（ステップＳ５１０）、サブルーチン処理を終了する。
【００８９】
実施例５のファクシミリ装置５００によれば、前記した実施例と同様にカウンタ・コンパレータ２２で省電力状態での経過時間をカウントすることにより、該カウンタにおけるタイムアップに基づいてファクシミリ装置が省電力状態において所望の設定時間が経過するとインターネットファックスのための電子メールを受信することができる。
更に、前記したように、実施例５のファクシミリ装置５００によれば、インターネットファクシミリのための電子メールの受信件数およびその受信件数での回数に応じて、電子メールの受信間隔を設定することにより、電子メールの無受信が連続したときには電子メールの受信時間間隔を長く設定し、多数の電子メール受信が連続したときには電子メールの受信時間間隔を短く設定することから、電子メールの受信件数とその回数の状態に応じて電子メールの受信制御を効率的に行うことができる。
【００９０】
前記した実施例では、ステップＳ４２０において、受信件数が０件のときの分岐処理、受信件数が１件から９件のときの分岐処理、受信件数が１０件以上のときの分岐処理に分岐判断を分けたが、これに限る必要はなく、分岐処理のための電子メールの受信件数を適宜変更してもよい。また、ステップＳ４３０において連続無受信件数が５回以上であるか否かを判定し、ステップＳ４８０において多数の電子メールの連続受信件数が５回以上であるか否かを判定したが、この連続５回の判定基準に限る必要は無く、該判定基準を適宜変更してもよい。
【産業上の利用可能性】
【００９１】
前記した実施例では、インターネットファクシミリと称す装置の例で説明したが、これに限る必要はなく、電子メールを受信する機能や定期的に起動して動作する各種の装置に本発明を適用することができる。
【図面の簡単な説明】
【００９２】
【図１】本発明の通信端末装置のブロック図である。
【図２】従来の通信端末装置において、動作状態、オペレーション発生、電子メール受信動作の関係を時系列に示す図である。
【図３】実施例１のファクシミリ装置のブロック図である。
【図４】実施例１のファクシミリ装置の動作を示すフローチャートである。
【図５】実施例２のファクシミリ装置のブロック図である。
【図６】実施例２のファクシミリ装置の動作を示すフローチャートである。
【図７】実施例３のファクシミリ装置のブロック図である。
【図８】実施例３のファクシミリ装置の動作を示すフローチャートである。
【図９】実施例４のファクシミリ装置のメインフローチャートである。
【図１０】実施例４のファクシミリ装置のサブルーチン処理のフローチャートである。
【図１１】実施例５のファクシミリ装置のサブルーチン処理のフローチャートである。
【符号の説明】
【００９３】
５０  制御部
５１  電子メール受信手段
５２  状態切替え手段
５３  省電力解除手段
５４  制御手段
５５  計時手段
５６  設定手段
【図１】
2005234936.tif 000003
【図２】
2005234936.tif 000004
【図３】
2005234936.tif 000005
【図４】
2005234936.tif 000006
【図５】
2005234936.tif 000007
【図６】
2005234936.tif 000008
【図７】
2005234936.tif 000009
【図８】
2005234936.tif 000010
【図９】
2005234936.tif 000011
【図１０】
2005234936.tif 000012
【図１１】
2005234936.tif 000013